(57)【要約】【課題】小型で携帯性に優れ、かつ、通話以外の様々な機能に対する操作性が高い携帯端末を提供する。【解決手段】２つの筐体を異なる方向に展伸可能に連結させ、縮退状態（（ａ））から各展伸状態（（ｂ），（ｃ））に応じて必要な操作キーのみを露出するように構成するとともに、光センサ１０ａ，１０ｂの出力に基づいて筐体の展伸状態を検出し、筐体の展伸状態に応じたアプリケーションを起動させる。【選択図】図２
2005341480.tif 000002
【特許請求の範囲】
【請求項１】
表示画面を露出して配設する第１の筐体と、
少なくとも複数の操作キーを含む第２の筐体と、
前記第１の筐体に対して前記第２の筐体を摺動させることにより、全体の形態が縮退する縮退状態と、前記縮退状態からそれぞれ異なる複数の方向に展伸する複数の展伸状態と、を形成可能とする摺動手段と
を有することを特徴とする携帯端末。
【請求項２】
前記複数の展伸状態は、前記複数の操作キーのうち、それぞれ異なる操作キーを露出することを特徴とする請求項１記載の携帯端末。
【請求項３】
前記複数の展伸状態の各形態が形成されたことを検出する検出手段と、
前記検出手段が検出した形態に応じて、予め割り当てられた機能を動作させる制御手段と
を有することを特徴とする請求項１または２記載の携帯端末。
【請求項４】
前記複数の展伸状態は、通話機能を予め割り当てられた第１の状態と、通話以外の機能を予め割り当てられた第２の状態と、を含み、
第２の状態において露出する操作キーの数を、第１の状態よりも制限する
ことを特徴とする請求項３記載の携帯端末。
【請求項５】
前記第２の状態に予め割り当てられた機能は、ディジタル放送の受信機能である
ことを特徴とする請求項４記載の携帯端末。
【請求項６】
前記第２の状態に予め割り当てられた機能は、撮像機能である
ことを特徴とする請求項４記載の携帯端末。
【請求項７】
前記第２の状態において露出する操作キーは、ディジタル放送のために使用する操作キーである
ことを特徴とする請求項４記載の携帯端末。
【発明の詳細な説明】
【技術分野】
【０００１】
本発明は、たとえば携帯電話機に代表される携帯端末に関し、特に、２つの筐体が可動機構を有する携帯端末に関する。
【背景技術】
【０００２】
近年、携帯端末としての携帯電話機は、包含する機能が飛躍的に向上し、単なる通話専用の携帯型電話としての位置付けから、ＰＤＡ(Personal Digital Assistants) に代表される携帯型情報端末としての位置付けへ変化している。
携帯電話機の高機能化の例として、撮像素子を搭載したカメラ機能があり、たとえば、１００万画素を超える高画質な写真撮影、動画の記録やテレビ電話機能等を可能とするものもある。また、アナログテレビ用のチューナーを内蔵したテレビ付携帯電話機も市場に存在し、近い将来には、ディジタル放送対応の携帯電話機が商品化されることが予想される。
【０００３】
ＴＶチューナーを内蔵している携帯電話機は、下記特許文献１に開示されている。
【特許文献１】特開２００２−９９２０号公報
【０００４】
また、携帯時の利便性の観点から携帯電話機の小型化が急速に進む一方で、機能の向上に応じた表示画面の大型化に対する要求と両立させるため、近年の携帯電話機は、主に表示画面と受話器を有する第一筐体と、主に操作キーと送話器を有する第二筐体の２つのそれぞれ異なる筐体を、摺動自在に結合した構造とすることが主流となっている。
特に、筐体を閉じた状態で、大型のＬＣＤ（液晶画面）が常に視認可能に露出させることで、筐体を開いた状態にしなくても情報の閲覧や着信を行うことを可能としたスライド型の摺動機構を有する携帯電話機が注目されている。
【発明の開示】
【発明が解決しようとする課題】
【０００５】
ところで、近年の携帯電話機は、上述したように高機能化されている一方で、その高機能化に対して、ユーザの操作性が必ずしも十分ではないという課題がある。
すなわち、携帯電話機は、もとより、カメラ機能やディジタル放送受信機能などの付加機能にとって最適な形態を有していないので、通話機能からこれらの付加機能に移行する際に、操作キー等の操作性が煩雑となる場合がある。
【０００６】
たとえば、携帯電話機は、携帯性の観点から全体の大きさに制約があるため、使用頻度の低い付加機能に対して、専用の操作キーを設けることができない。したがって、本来通話機能用に使用する他の操作キーを、付加機能を実行したときにだけ割り当てることが行われ、または、メニュー画面から何階層も辿って付加機能を呼び出す必要があり、操作性が煩雑となる。
【０００７】
また、ディジタル放送の受信では、当該ディジタル放送を通じて、クイズ番組やゲームへの参加、テレビショッピング等の双方向サービスが行われ、これらのサービスを利用するために視聴者側からの入力操作が必要になるが、携帯電話機で双方向サービスを利用するためにはカラーボタン等の操作キーを新たに設ける必要がある。
従来の携帯電話機の操作キーにカラーボタン機能を付加することも可能ではあるが、操作性が煩雑になり非常に使いにくい。また、全く新規にカラーボタン等を設ける場合にも、配置する位置が操作性に大きく影響するうえ、携帯性の観点から、これらのカラーボタンを含む操作キーを配設する携帯電話機全体の筐体の大きさが制約される。
したがって、付加機能に対する操作キーを、その操作性が煩雑とならないように携帯端末の筐体に配列する点が非常に重要な課題となっている。
【０００８】
本発明はかかる事情に鑑みてなされたものであり、その目的は、小型で携帯性に優れ、かつ、通話機能以外の様々な機能に対する操作性が高い携帯端末を提供することにある。
【課題を解決するための手段】
【０００９】
上記目的を達成するために、本発明は、表示画面を露出して配設する第１の筐体と、少なくとも複数の操作キーを含む第２の筐体と、前記第１の筐体に対して前記第２の筐体を摺動させることにより、全体の形態が縮退する縮退状態と、前記縮退状態からそれぞれ異なる複数の方向に展伸する複数の展伸状態と、を形成可能とする摺動手段とを有する携帯端末である。
【００１０】
好適には、前記複数の展伸状態は、前記複数の操作キーのうち、それぞれ異なる操作キーを露出する。
【００１１】
好適には、前記複数の展伸状態の各形態が形成されたことを検出する検出手段と、前記検出手段が検出した形態に応じて、予め割り当てられた機能を動作させる制御手段とを有する。
【００１２】
好適には、前記複数の展伸状態は、通話機能を予め割り当てられた第１の状態と、通話以外の機能を予め割り当てられた第２の状態と、を含み、第２の状態において露出する操作キーの数を、第１の状態よりも制限する。
【発明の効果】
【００１３】
本発明の携帯端末によれば、小型で携帯性に優れ、かつ、通話機能以外の様々な機能に対する操作性が高い。
【発明を実施するための最良の形態】
【００１４】
実施形態
以下、本発明の携帯端末の一実施形態である携帯電話機について、添付図面に関連付けて述べる。
図１は、本実施形態の携帯電話機の一構成例を示す回路ブロック図である。
本実施形態の携帯電話機は、後述するように、第一筐体１および第二筐体２の２つの筐体が相互に摺動可能に連結されたスライド式の携帯電話機である。図１では、第一筐体１および第二筐体２の各筐体毎に割り当てられる回路ブロックの各要素を記載している。
以下、回路のブロックを構成する構成要素について説明する。
【００１５】
無線部２３は、送受信アンテナを含んで構成され、電波を利用した無線通信で行うために、制御部２２で処理された音声情報、電子メール等を変調して送受信アンテナ３１により図示しない基地局に送信する。
また、無線部２３は、基地局から無線により送信され、送受信アンテナ３１で受信した電子メールや音声情報等の各種情報を復調して制御部２２に送出する。
【００１６】
メモリ２４は、ＥＥＰＲＯＭ等の不揮発性メモリを含んで構成され、通話やメールの送受信のための制御プログラム、ディジタル放送、インターネットブラウザ、メッセージデータ、名前および電話番号が登録されたアドレス帳のほか、本実施形態の携帯電話機が有する様々なアプリケーションを実行するためのアプリケーションプログラム（機能）を記憶する。制御部２２は、たとえば、アプリケーションを起動するために、メモリ２４が記憶するアプリケーションプログラムをＲＡＭ領域にロードする。
【００１７】
キー操作部７は、第二筐体２に配設された複数の操作キーを含んで構成される。複数の操作キーとしては、終了（終話）／電源キー、開始（発呼）キー、数字等に対応した操作キーなどの通話機能に要する複数の操作キーが含まれる。これらの操作キーを介して、ユーザからの入力情報が制御部２２に送出される。
カラーボタン操作部６は、ディジタル放送の双方向サービスを利用するための操作ボタンを含んで構成される。かかる操作ボタンは、専らディジタル放送の利用のために使用される。
サブキー操作部５は、第一筐体１に配設された複数の操作キーを含んで構成される。たとえば、後述する縮退状態（筐体全体が最も小さくなる状態）において、ユーザが受信した電子メールのテキストを表示させる等の簡易な機能を使用するための操作キーが含まれる。
【００１８】
送受信アンテナ９、チューナー２５、復調部２６、および制御部２２内の多重分離部２９は、ディジタルテレビジョン放送（以下、ディジタル放送）の受信機能を構成し、制御部２２により、ディジタル放送の受信／映像表示／音声出力が制御される。
すなわち、図示しない放送局より送受信アンテナ９が受信した信号は、チューナー２５によりユーザ所望のチャンネル（周波数帯）が選択された後、復調部２６によりＯＦＤＭ復調されてトランポートストリームデータ（ＴＳデータ）として抽出される。
多重分離部２９は、抽出されたＴＳデータを、主として画像データと音声データに分離する。
なお、ディジタル放送では、ゲームへの参加、テレビショッピング等の双方向サービスが行われるが、実施形態に係る携帯電話機から基地局へ信号を送信する際には、制御部２２により信号が変調され、送受信アンテナ３１を介して送出される。
【００１９】
画像処理部２８は、分離された画像データに基づいて、表示部３を駆動して表示部３のＬＣＤに画像を表示させる。なお、画像処理部２８は、ディジタル放送の画像だけではなく、通話機能に応じたいわゆる待受画面や電話番号などを表示部３に表示させることは言うまでもない。
【００２０】
音声処理部２７は、マイクロフォン８より集音したユーザの音声に対して、フィルタリング処理や符号化処理などの所定の処理を行って音声データを生成する。生成された音声データは、たとえば、無線部２３および送受信アンテナ３１を介して図示しない基地局へ通話のために送出される。
また、音声処理部２７は、送受信アンテナ３１および無線部２３を介して受信した音声データや、多重分離部２９により分離された音声データを増幅して、スピーカ４に音声を出力させる。
【００２１】
光センサ１０ａ，１０ｂは、第二筐体２の表面に取り付けられたフォトダイオードなどの光検出素子を含んで構成される。たとえば、光が照射されると、フォトダイオードが導通状態となるので、フォトダイオードを流れる電流を検出することにより、照射される光量を検出する。
制御部２２の一部を構成する筐体状態検出部３０は、各光センサ１０ａ，１０ｂが検出した光量に基づいて、摺動機構により変更する筐体の状態（形態）を検出する。筐体状態検出部３０の検出原理については、後述する。
なお、筐体状態検出部３０は、本発明の検出手段の一実施形態である。
【００２２】
本発明の制御手段としての制御部２２は、マイクロコンピュータを主体として構成され、実施形態に係る携帯電話機の全体の制御を行う。たとえば、制御部２２は、無線部２３における各種情報の無線による送受信の制御、音声処理部２７に対する音声情報の処理、表示部３への情報の表示制御、キー操作部７およびサブキー操作部５からの入力情報に応じた処理、メモリ２４に対するアクセス制御等を行う。
特に、本実施形態に係る制御部２２は、筐体状態検出部３０の検出結果に応じて、異なるアプリケーションプログラムを起動させる。アプリケーションプログラムとしては、たとえば、上述したディジタル放送のアプリケーションなどがある。
【００２３】
次いで、実施形態に係る携帯電話機の形態について述べる。
図２は、実施形態に係る携帯電話機が第一筐体１および第二筐体２の連結状態に応じて取りうる形態の正面図と側面図であり、（ａ）は縮退状態を、（ｂ）および（ｃ）はそれぞれ異なる方向に展伸した展伸状態を、それぞれ示す。
（ａ）に示す縮退状態は、第一筐体１および第二筐体２の相対変位により、筐体全体が最も小さくなる状態である。縮退状態は、ユーザにとって携帯性が優れる。
また、縮退状態では、図に示すように、第一筐体１の上面に配設されたスピーカ４と表示部３とサブキー操作部５が露出され、第二筐体２の上面に配設されたマイクロフォン８が露出されている。
【００２４】
（ｂ）に示す展伸状態（以下、この状態を第一展伸状態と称する）では、第二筐体２に対して第一筐体１がスライドして展伸されることにより、縮退状態と比較して、第二筐体２の上面に配設されたキー操作部７と光センサ１０ａが新たに露出される。
第一展伸状態は、終了（終話）／電源キー、開始（発呼）キー、数字等に対応した操作キーを含むキー操作部７が露出して使用可能となるので、主として、音声／電子メール等による通信機能を利用する場合に好適である。
なお、第一展伸状態は、本発明の第１の状態に対応する。
【００２５】
（ｃ）に示す展伸状態（以下、この状態を第二展伸状態と称する）では、第二筐体２に対して第一筐体１がスライドして展伸されることにより、縮退状態と比較して、第二筐体２の上面に配設されたカラーボタン操作部６と光センサ１０ｂが新たに露出されるとともに、第一展伸状態で露出されたキー操作部７は、第二展伸状態では露出されない。
第二展伸状態は、ディジタル放送の双方向サービスを利用可能とするカラーボタン操作部６が露出して使用可能となる。
なお、第二展伸状態は、本発明の第２の状態に対応する。
【００２６】
以上、実施形態に係る携帯電話機が取りうる形態について述べたが、次いで、かかる複数の形態（縮退状態／第一展伸状態／第二展伸状態）を実現するための構造について、図３乃至図５に関連付けて述べる。
図３は、第一筐体１および第二筐体２のスライド構造を説明するための図であり、（ａ）は携帯電話機を背面から見た図を、（ｂ）は携帯電話機を前面から見た図を、それぞれ示す。なお、理解の容易のため、（ａ）では、第一筐体１を実線で表し、第二筐体２を点線で表しており、また、（ｂ）では、第二筐体２を実線で表し、第一筐体１を点線で表している。
【００２７】
図３（ａ）に示すように、第一筐体１の背面１ａには、直線状の第一スライドレール１１と、各筐体の相対変位を規制するためのレール溝１３を含む第二スライドレール１２とが設けられている。
一方、図３（ｂ）に示すように、第二筐体２の前面２ａには、第一スライドレール１１と嵌合する固定ピン１４と、第二スライドレール１２と嵌合する可動ピン１５とが配置されている。
すなわち、第二筐体２の前面２ａに設けられた各ピンと、第一筐体１の背面１ａに設けられた各スライドレールとが嵌合することにより、第一筐体１と第二筐体２がスライド可能に連結状態となる。
なお、第一筐体の背面１ａおよび第二筐体の前面２ａに設けられた上述の構造は、本発明の摺動手段の一実施形態を構成する。
【００２８】
図４は、第二筐体２の前面２ａの構造の一例を説明するための図である。
図に示すように、第二筐体２の前面２ａには固定ピン１４が固定される。固定ピン１４の横方向には、矩形の凹部１６が設けられ、この凹部１６の底面には摺動穴１７が設けられる。
可動ピン１５は、摺動穴１７に沿って直立に変位するように、摺動穴１７により支持される。また、可動ピン１５は、図に示すように、弾性部材１８を介して、凹部１６の固定ピン１４側の一端に取り付けられている。
したがって、可動ピン１５は、凹部１６内の摺動穴１７に沿って左右に摺動する構成となっている。
また、固定ピン１４および可動ピン１５の各ピンの上部には、第一筐体１から第二筐体２が脱落しないように、第一筐体１の各スライドレールの幅より大きい径の円形の脱落防止板１９が取り付けられている。
【００２９】
図５は、実施形態の携帯電話機のスライド機構の動作を説明するための図であり、（ａ）は縮退状態を、（ｂ）は展伸途中の状態を、（ｃ）は第一展伸状態を、（ｄ）は第二展伸状態を、それぞれ示す。
（ａ）に示す縮退状態では、可動ピン１５が第二スライドレール１２の中央のレール溝１３に嵌合した状態で固定している。この状態では、たとえば、ばねとしての弾性部材１８は、自然長よりも伸びた状態であり、第二筐体２の中央方向に力が加わっているので、可動ピン１５は第二スライドレール１２の中央のレール溝１３に固定される。これにより、筐体全体が最も小さくなるので携帯性が優れる。
また、縮退状態では、（ａ）に示すように、縮退状態では、光センサ１０ａおよび１０ｂがともに露出しないように構成する。その結果、各センサの出力レベルに差が生じない。
【００３０】
縮退状態から、第一筐体１を上方向に力を加えると、可動ピン１５は、レール溝１３からはずれ、（ｂ）に示すように、第二スライドレール１２に沿って移動可能な状態となる。
（ｂ）に示すように、第一展伸状態および第二展伸状態のいずれの状態でもない場合には、縮退状態と同様、光センサ１０ａおよび１０ｂがともに露出しないように構成する。その結果、各センサの出力レベルに差が生じない。
【００３１】
そして、（ｂ）の状態から、第一筐体１をさらに上方向に移動させると、（ｃ）に示すように、可動ピン１５が第二スライドレール１２の最下端のレール溝１３に固定された第一展伸状態となる。これにより、終了（終話）／電源キー、開始（発呼）キー、数字等に対応した操作キーを含むキー操作部７が露出して使用可能となるので、主として、音声／電子メール等による通信機能を利用する場合に操作性が向上する。
この状態では、（ｃ）に示すように、光センサ１０ａのみが露出し、光センサ１０ｂが露出しないように構成する。その結果、光センサ１０ａのセンサ出力のみが高いレベルを示す。
【００３２】
また、縮退状態から、第一展伸状態とは逆方向に第一筐体１を摺動させると、（ｄ）に示すように、可動ピン１５が第二スライドレール１２の最上端のレール溝１３に固定された第二展伸状態となる。これにより、カラーボタン操作部６が露出するので、ディジタル放送の双方向サービスを利用可能とする場合に操作性が向上する。
この状態では、（ｄ）に示すように、光センサ１０ｂのみが露出し、光センサ１０ａが露出しないように構成する。その結果、光センサ１０ｂのセンサ出力のみが高いレベルを示す。
【００３３】
筐体状態検出部３０は、光センサ１０ａ，１０ｂの各センサ出力に基づいて、筐体の状態（縮退状態／第一展伸状態／第二展伸状態）を検出する。
図６は、光センサ１０ａ，１０ｂの各センサ出力に応じた制御部２２での処理を示すフローチャートである。
図６において、先ず、制御部２２内の筐体状態検出部３０は、各光センサの出力を比較し、各光センサの出力が同一である場合には（ステップＳＴ１０）、筐体が第一展伸状態または第二展伸状態のいずれの状態となっていないと判断する。すなわち、第一筐体１および第二筐体２の位置関係が、図５（ａ）および（ｂ）に示すように状態である場合には、各光センサ１０ａ，１０ｂは露出されず、ともに出力レベルに差が生じないので、ステップＳＴ１０の条件が成立する。
ステップＳＴ１０の条件が成立する場合には、制御部２２は何も実行しない。
【００３４】
また、光センサ１０ａのセンサ出力が光センサ１０ｂのセンサ出力よりも大きい場合には（ステップＳＴ１１）、制御部２２は、所定のアプリケーションＡを起動させる（ステップＳＴ１２）。
すなわち、第一筐体１および第二筐体２の位置関係が、図５（ｃ）に示す第一展伸状態である場合には、光センサ１０ａが露出され、光センサ１０ｂは露出されず、光センサ１０ａのみが高い出力レベルとなって、ステップＳＴ１１の条件が成立する。かかる場合には、筐体状態検出部３０は、筐体が第一展伸状態であることを検出し、制御部２２は、その検出結果に応じたアプリケーションを起動させる。なお、すでにアプリケーションＢが起動している場合には、特に新たな処理は行わない。
【００３５】
第一展伸状態では、キー操作部７が露出するように筐体を構成したので、たとえば、アプリケーションＡとして予め通話機能のプログラムを登録しておけば、ユーザは、筐体を第一展伸状態に展伸させると同時に、すぐに通話を行うことができる。
【００３６】
また、光センサ１０ａのセンサ出力が光センサ１０ｂのセンサ出力よりも小さい場合には（ステップＳＴ１１）、制御部２２は、アプリケーションＡと異なる所定のアプリケーションＢを起動させる（ステップＳＴ１３）。
すなわち、第一筐体１および第二筐体２の位置関係が、図５（ｄ）に示す第二展伸状態である場合には、光センサ１０ａが露出されず、光センサ１０ｂは露出され、光センサ１０ｂのみが高い出力レベルとなって、ステップＳＴ１１の条件が成立しない。かかる場合には、筐体状態検出部３０は、筐体が第二展伸状態であることを検出し、制御部２２は、その検出結果に応じたアプリケーションを起動させる。なお、すでにアプリケーションＢが起動している場合には、特に新たな処理は行わない。
【００３７】
第二展伸状態では、カラーボタン操作部６が露出するように筐体を構成したので、たとえば、アプリケーションＢとして予めディジタル放送の受信プログラムを登録しておけば、ユーザは、筐体を第二展伸状態に展伸させると同時に、すぐにディジタル放送を視聴することができる。
また、第二展伸状態では、キー操作部７が露出されないので、ディジタル放送の視聴時に操作可能な操作キーが制限され、ユーザの操作性が向上する。すなわち、ユーザは、多くの操作キーから必要な操作キーを選択する煩わしさから解放される。
【００３８】
なお、筐体が縮退状態や第一展伸状態である場合においても、上記アプリケーションＢとして例示したディジタル放送の受信プログラムを、起動メニュー等を選択して起動する構成とすることは可能であるが、制御部２２を上述した構成とすることにより、ユーザは、縮退状態から第二展伸状態にスライドさせるだけでディジタル放送を受信することが可能となり、操作性が向上する。
また、制御部２２は、筐体状態検出部３０が縮退状態であることを検出した時点、または、ユーザによる特定の操作キーに対する操作がなされた時点で、アプリケーションＢを終了させるように構成する。
【００３９】
以上述べたように、本実施形態に係る携帯電話機によれば、２つの筐体を異なる方向に展伸可能に連結させ、かつ、各展伸状態に応じて必要な操作キーのみを露出するように構成したので、携帯電話機の操作性が格段に向上するとともに、不必要な操作キーが露出しないので、誤操作を防止することができる。
本実施形態に係る携帯電話機によれば、携帯電話機の各機能に応じて、最適な形態となるように、筐体の状態（縮退状態／第一展伸状態／第二展伸状態）を設定したので、携帯性と各機能の操作性を両立させることができる。
【００４０】
本実施形態に係る携帯電話機によれば、展伸状態に応じて、操作キーの露出領域が異なるので、操作キーを主として配列する筐体（本実施形態では、第二筐体２）に、必要な操作キーを有効にレイアウトさせることができる。
本実施形態に係る携帯電話機によれば、筐体の展伸方向が検出されることにより、筐体の状態（縮退状態／第一展伸状態／第二展伸状態）に応じたアプリケーションを起動させるので、ユーザは、アプリケーションを起動させるために煩雑な操作を行う必要がなく、また、起動時間が短縮される。
【００４１】
本発明の実施形態は、上述した内容に拘泥せず、本発明の要旨を変更しない範囲で様々な改変が可能である。
たとえば、上述した実施形態に係る携帯電話機では、筐体状態検出部３０は、２つの光センサの出力に基づいて、筐体状態を検出するが、光センサに限らず、他の様々なセンサを適用させることが可能である。たとえば、第一筐体１の３つのレール溝付近の位置に磁気センサを３つ配置し、第二筐体２の可動ピン１５にマグネットを配置することにより、筐体状態を検出することも可能であるし、第一スライドレール１１に沿って配設するポテンショ（可変抵抗器）により、筐体状態を検出してもよい。
【００４２】
また、上述した実施形態に係る携帯電話機では、第二展伸状態での使用態様がディジタル放送の視聴である場合について述べたが、ディジタル放送に限らず、他の様々なアプリケーションに適用することができる。また、縮退状態でディジタル放送を視聴している場合に、展伸状態とすることでデータ放送に機能を変えるものも含む。
たとえは、図７は、第二展伸状態での使用態様がカメラ撮影である場合の携帯電話機の外観を例示し、（ａ）は正面図を、（ｂ）は側面図を、（ｃ）は背面図を、それぞれ示す。なお、縮退状態および第一展伸状態は、上述した実施形態と同様である。
【００４３】
図７に示す携帯電話機は、撮像機能を備える。そして、第二展伸状態にすることで、撮像機能が起動するとともに、第一筐体上のカメラ操作ボタン２１が露出する。カメラ操作ボタン２１には、撮影モードの切替や撮影画像サイズの切換えなど、携帯電話機をディジタルカメラとして使用する場合に必要となる機能が割り当てられる。
また、（ｃ）に示すように、背面には、第二展伸状態とすることにより撮像部２０の撮影レンズが露出する。
上述した構成とすることで、図７に示す携帯電話機は、縮退状態から第二展伸状態にすることにより、撮像機能を構成する各構成要素が露出するので、縮退状態では優れた携帯性を維持するとともに、第二展伸状態では、カメラ撮影に不要なキー操作部７を露出せず、カメラ撮影に必要なカメラ操作ボタン２１のみを露出するので、カメラ撮影の操作性が向上する。
また、上述した実施形態に係る携帯電話機と同様に、光センサ１０ａ，１０ｂおよび展伸方向検出部３０を備え、展伸方向検出部３０が第二展伸状態であることを検出すると、制御部２２は、カメラ撮影機能を動作させ、撮像部２０により撮像された画像を表示部３に表示させる。これにより、カメラ撮影機能の起動を素早く行うことができるともに、カメラ撮影機能を起動させる煩雑な操作も必要ない。
【００４４】
また、上述した実施形態に係る携帯電話機では、第一筐体１および第二筐体２がそれぞれ同一線上の相対する方向に展伸することで第一展伸状態および第二展伸状態を形成したが、それぞれ同一線上でない方向に展伸するように構成してもよい。
図８は、２つの展伸方向が同一線上でない携帯電話機の正面図であり、（ａ）は縮退状態を、（ｂ）は第一展伸状態を、（ｃ）第二展伸状態を、それぞれ示す。
図２（ｃ）を参照して述べた第二展伸状態と異なり、図８（ｃ）に示す第二展伸状態では、縮退状態から第一筐体１が横方向に展伸する。これにより、図２（ｃ）に示す状態と比較して、第一筐体１上に露出する領域が変更し、縦方向に操作キーを配列させることができる。これにより、筐体を横にして視聴するディジタル放送において使い易くなる。
なお、図８に示す展伸動作を可能とするためには、図３に示した直線状のスライドレールではなく、Ｌ字型のスライドレールが必要となることは言うまでもない。
上述したように、展伸方向は、必ずしも同一線上である必要はなく、第二展伸状態に対応するアプリケーションに応じて、操作キーの配列を最適なものとすることができる。
また、ディジタル放送において必要な操作キーとしては、マルチメディアデータ放送のための表示／非表示ボタンがあり、かかるボタンもディジタル放送のために使用する操作キーとして、第二展伸状態で露出するようにしてもよい。
なお、ディジタル放送とは、地上波ディジタルおよび衛星ディジタル放送等を含むことは言うまでもない。
【図面の簡単な説明】
【００４５】
【図１】本実施形態の携帯電話機の一構成例を示す回路ブロック図である。
【図２】実施形態に係る携帯電話機が第一筐体および第二筐体の連結状態に応じて取りうる形態の正面図と側面図であり、（ａ）は縮退状態を、（ｂ）および（ｃ）はそれぞれ異なる方向に展伸した展伸状態を、それぞれ示す。
【図３】第一筐体および第二筐体のスライド構造を説明するための図であり、（ａ）は携帯電話機を背面から見た図を、（ｂ）は携帯電話機を前面から見た図を、それぞれ示す。
【図４】第二筐体の前面の構造の一例を説明するための図である。
【図５】実施形態の携帯電話機のスライド機構の動作を説明するための図であり、（ａ）は縮退状態を、（ｂ）は展伸途中の状態を、（ｃ）は第一展伸状態を、（ｄ）は第二展伸状態を、それぞれ示す。
【図６】２つの光センサの各センサ出力に応じた制御部での処理を示すフローチャートである。
【図７】第二展伸状態での使用態様がカメラ撮影である場合の携帯電話機の外観であり、（ａ）は正面図を、（ｂ）は側面図を、（ｃ）は背面図を、それぞれ示す。
【図８】２つの展伸方向がそれぞれ異なる携帯電話機の正面図であり、（ａ）は縮退状態を、（ｂ）は第一展伸状態を、（ｃ）第二展伸状態を、それぞれ示す。
【符号の説明】
【００４６】
１…第一筐体
１ａ…第一筐体の背面
１１…第一スライドレール
１２…第二スライドレール
１３…レール溝
３…表示部
４…スピーカ
５…サブキー操作部
２…第二筐体
２ａ…第二筐体の前面
１４…固定ピン
１５…可動ピン
１６…凹部
１７…摺動穴
１８…弾性部材
１９…脱落防止板
６…カラーボタン操作部
７…キー操作部
８…マイクロフォン
９…アンテナ
１０ａ，１０ｂ…光センサ
２０…撮像部
２１…カメラ操作ボタン
２２…制御部
２９…多重分離部
３０…筐体状態検出部
２３…無線部
２４…メモリ
２５…チューナー
２６…復調部
２７…音声処理部
２８…画像処理部
【図１】
2005341480.tif 000003
【図２】
2005341480.tif 000004
【図３】
2005341480.tif 000005
【図４】
2005341480.tif 000006
【図５】
2005341480.tif 000007
【図６】
2005341480.tif 000008
【図７】
2005341480.tif 000009
【図８】
2005341480.tif 000010